(57)【特許請求の範囲】
【請求項１】
１以上の粗圧延機を有する粗圧延設備及び１以上の仕上圧延機を有する仕上圧延設備に対し、
先行圧延材を前記粗圧延設備による粗圧延から前記仕上圧延設備による仕上圧延の順に搬送して圧延し、
前記先行圧延材に続いて後行圧延材を前記粗圧延設備による粗圧延から前記仕上圧延設備による仕上圧延の順に搬送して圧延し、
前記粗圧延機及び仕上圧延機の夫々では予め設定された目標板厚になるように演算処理機能を有する計算機を用いて夫々の圧延材を圧延する圧延制御装置において、
前記後行圧延材が仕上圧延設備の手前で温度降下のための待機を行う圧延材であるか否かを判定する後行圧延材判定部と、
前記後行圧延材が仕上圧延設備の手前で温度降下のための待機を行う圧延材である場合に、前記先行圧延材尾端が最初の仕上圧延機に到達する実績到達時刻を読込む先行圧延材実績到達時刻読込み部と、
前記先行圧延材尾端が最初の仕上圧延機に到達する予定到達時刻に対する前記先行圧延材尾端の実績到達時刻の先行圧延材尾端到達変化時間を算出する到達変化時間算出部と、
前記先行圧延材尾端到達変化時間が規定時間以上である場合に前記後行圧延材の粗圧延機における目標板厚を前記予め設定された目標板厚から変更設定する後行圧延材粗圧延板厚変更設定部と、
前記変更設定された後行圧延材の粗圧延機における目標板厚が達成されるように前記粗圧延機による圧延を制御する圧延制御部と
を備えたことを特徴とする圧延制御装置。
【請求項２】
前記後行圧延材粗圧延板厚変更設定部は、前記先行圧延材尾端到達時間変化が予め設定された繰り上り規定時間以上である場合に、前記後行圧延材における目標板厚を前記予め設定された目標板厚よりも小さく変更設定することを特徴とする請求項１に記載の圧延制御装置。
【請求項３】
前記後行圧延材粗圧延板厚変更設定部は、前記先行圧延材尾端到達時間変化が予め設定された繰り下り規定時間以上である場合に、前記後行圧延材の粗圧延機における目標板厚を前記予め設定された目標板厚よりも大きく変更設定することを特徴とする請求項１又は２に記載の圧延制御装置。
【請求項４】
前記変更設定された後行圧延材の粗圧延機における目標板厚に応じて前記仕上圧延前の後行圧延材の待機時間を予め設定された時間から変更設定する後行圧延材待機時間変更設定部を備えたことを特徴とする請求項１乃至３の何れか一項に記載の圧延制御装置。
【請求項５】
１以上の粗圧延機を有する粗圧延設備及び１以上の仕上圧延機を有する仕上圧延設備に対し、
先行圧延材を前記粗圧延設備による粗圧延から前記仕上圧延設備による仕上圧延の順に搬送して圧延し、
前記先行圧延材に続いて後行圧延材を前記粗圧延設備による粗圧延から前記仕上圧延設備による仕上圧延の順に搬送して圧延し、
前記粗圧延機及び仕上圧延機の夫々では予め設定された目標板厚になるように演算処理機能を有する計算機を用いて夫々の圧延材を圧延する圧延制御方法において、
前記後行圧延材が仕上圧延設備の手前で温度降下のための待機を行う圧延材であるか否かを判定する後行圧延材判定ステップと、
前記後行圧延材が仕上圧延設備の手前で温度降下のための待機を行う圧延材である場合に、前記先行圧延材尾端が最初の仕上圧延機に到達する実績到達時刻を読込む先行圧延材実績到達時刻読込みステップと、
前記先行圧延材尾端が最初の仕上圧延機に到達する予定到達時刻に対する前記先行圧延材尾端の実績到達時刻の先行圧延材尾端到達変化時間を算出する到達変化時間算出ステップと、
前記先行圧延材尾端到達変化時間が規定時間以上である場合に前記後行圧延材の粗圧延機における目標板厚を前記予め設定された目標板厚から変更設定する後行圧延材粗圧延板厚変更設定ステップと、
前記変更設定された後行圧延材の粗圧延機における目標板厚が達成されるように前記粗圧延機による圧延を制御する圧延制御ステップと
を備えたことを特徴とする圧延制御方法。
【請求項６】
前記後行圧延材粗圧延板厚変更設定ステップは、前記先行圧延材尾端到達時間変化が予め設定された繰り上り規定時間以上である場合に、前記後行圧延材における目標板厚を前記予め設定された目標板厚よりも小さく変更設定することを特徴とする請求項５に記載の圧延制御方法。
【請求項７】
前記後行圧延材粗圧延板厚変更設定ステップは、前記先行圧延材尾端到達時間変化が予め設定された繰り下り規定時間以上である場合に、前記後行圧延材の粗圧延機における目標板厚を前記予め設定された目標板厚よりも大きく変更設定することを特徴とする請求項５又は６に記載の圧延制御方法。
【請求項８】
前記変更設定された後行圧延材の粗圧延機における目標板厚に応じて前記仕上圧延前の後行圧延材の待機時間を予め設定された時間から変更設定する後行圧延材待機時間変更設定ステップを備えたことを特徴とする請求項５乃至７の何れか一項に記載の圧延制御方法。
【発明の詳細な説明】
【技術分野】
【０００１】
本発明は、製鉄業における圧延制御装置及びその方法に関し、特に熱間圧延工程において加熱炉から抽出した圧延材を粗圧延から仕上圧延の順に圧延する場合に好適なものである。
【背景技術】
【０００２】
熱間圧延工程では、１以上の粗圧延機を有する粗圧延設備の下流側に１以上の仕上圧延機を有する仕上圧延設備を備え、加熱炉から抽出した圧延材を粗圧延設備から仕上圧延設備の順に圧延材を搬送して圧延を行う。このような熱間圧延工程で圧延材を加熱炉から抽出するタイミングの決定は、例えば下記特許文献１に記載されるように、下流設備での先行圧延材の処理状況や次に抽出する圧延材（後行圧延材）の圧延時間を予測し、圧延材同士が干渉しないようにミルペーシング制御装置などによって行われる。
【先行技術文献】
【特許文献】
【０００３】
【特許文献１】特開２００３−２２５７０２号公報
【発明の概要】
【発明が解決しようとする課題】
【０００４】
ところで、圧延材によっては、仕上圧延設備における品質確保のために仕上圧延必要温度の必要な圧延材もあり、そのような圧延材では、温度調整として仕上圧延前に冷却を必要とするものもある。そのような場合には、仕上圧延設備の手前で圧延材を待機して待機中の圧延材を冷却する。この待機時間も、圧延制御装置によって予め設定されている。一方、従来の圧延制御装置では、予測した圧延時間と実績とが乖離する場合があり、先行圧延材の第１仕上圧延機への搬送時刻が早くなることもある。そのような場合に、仕上圧延設備の手前で、後行圧延材を予め設定された時間待機すると、先行圧延材尾端の第１仕上圧延機到達と後行圧延材先端の第１仕上圧延機到達の時間差が大きくなり、製造効率が妨げられる。これに対し、予測した圧延時間と実績との乖離の結果、先行圧延材の第１仕上圧延機への搬送時刻が遅くなることもある。そのような場合には、先行圧延材との干渉を回避するため、仕上圧延設備の手前での後行圧延材待機時間が長くなりすぎ、後行圧延材が過冷却されてしまう恐れがある。
本発明は、上記のような問題点に着目してなされたものであり、先行圧延材尾端の仕上圧延機到達時刻が変化したときでも製造効率の妨げや後行圧延材の過冷却を抑制することが可能な圧延制御装置及びその方法を提供することを目的とするものである。
【課題を解決するための手段】
【０００５】
上記課題を解決するために、本発明の一態様によれば、１以上の粗圧延機を有する粗圧延設備及び１以上の仕上圧延機を有する仕上圧延設備に対し、先行圧延材を粗圧延設備による粗圧延から仕上圧延設備による仕上圧延の順に搬送して圧延し、先行圧延材に続いて後行圧延材を粗圧延設備による粗圧延から仕上圧延設備による仕上圧延の順に搬送して圧延し、粗圧延機及び仕上圧延機の夫々では予め設定された目標板厚になるように演算処理機能を有する計算機を用いて夫々の圧延材を圧延する圧延制御装置において、後行圧延材が仕上圧延設備の手前で仕上圧延必要温度が必要な圧延材であるか否かを判定する後行圧延材判定部と、後行圧延材が仕上圧延設備の手前で仕上圧延必要温度の必要な圧延材である場合に、先行圧延材尾端が最初の仕上圧延機に到達する実績到達時刻を読込む先行圧延材実績到達時刻読込み部と、先行圧延材尾端が最初の仕上圧延機に到達する予定到達時刻に対する先行圧延材尾端の実績到達時刻の先行圧延材尾端到達変化時間を算出する到達変化時間算出部と、先行圧延材尾端到達変化時間が規定時間以上である場合に後行圧延材の粗圧延機における目標板厚を予め設定された目標板厚から変更設定する後行圧延材粗圧延板厚変更設定部と、変更設定された後行圧延材の粗圧延機における目標板厚が達成されるように粗圧延機による圧延を制御する圧延制御部とを備えた圧延制御装置が提供される。
【０００６】
また、本発明の別の態様によれば、１以上の粗圧延機を有する粗圧延設備及び１以上の仕上圧延機を有する仕上圧延設備に対し、先行圧延材を粗圧延設備による粗圧延から仕上圧延設備による仕上圧延の順に搬送して圧延し、先行圧延材に続いて後行圧延材を粗圧延設備による粗圧延から仕上圧延設備による仕上圧延の順に搬送して圧延し、粗圧延機及び仕上圧延機の夫々では予め設定された目標板厚になるように演算処理機能を有する計算機を用いて夫々の圧延材を圧延する圧延制御方法において、後行圧延材が仕上圧延設備の手前で仕上圧延必要温度が必要な圧延材であるか否かを判定する後行圧延材判定ステップと、後行圧延材が仕上圧延設備の手前で仕上圧延必要温度の必要な圧延材である場合に、先行圧延材尾端が最初の仕上圧延機に到達する実績到達時刻を読込む先行圧延材実績到達時刻読込みステップと、先行圧延材尾端が最初の仕上圧延機に到達する予定到達時刻に対する先行圧延材尾端の実績到達時刻の先行圧延材尾端到達変化時間を算出する到達変化時間算出ステップと、先行圧延材尾端到達変化時間が規定時間以上である場合に後行圧延材の粗圧延機における目標板厚を予め設定された目標板厚から変更設定する後行圧延材粗圧延板厚変更設定ステップと、変更設定された後行圧延材の粗圧延機における目標板厚が達成されるように粗圧延機による圧延を制御する圧延制御ステップとを備えた圧延制御方法が提供される。
【発明の効果】
【０００７】
而して、本発明の圧延制御装置及びその方法では、最初の仕上圧延機に到達する先行圧延材尾端の到達変化時間に応じて後行圧延材の粗圧延機における目標板厚を変更設定することにより、先行圧延材尾端の仕上圧延機到達時刻が変化したときでも製造効率の妨げや後行圧延材の過冷却を抑制することが可能となる。
【図面の簡単な説明】
【０００８】
【図１】本発明の圧延制御装置及びその方法が適用された熱間圧延工程設備の一実施形態を示す概略構成図である。
【図２】図１のコンピュータシステムで実行される演算処理のフローチャートである。
【図３】図２の演算処理の作用効果の説明図である。
【発明を実施するための形態】
【０００９】
以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
以下に、本発明の圧延制御装置及びその方法の一実施形態について図面を参照しながら説明する。図１は、この実施形態の圧延制御装置及びその方法が適用された熱間圧延工程設備の概略構成図である。この実施形態の熱間圧延工程設備は、圧延材の入側から、加熱炉１、幅プレス２、粗圧延設備３、仕上圧延設備４、コイラ５を備えて構成され、粗圧延設備３は、圧延材の入側から第１〜第５粗圧延機（圧延スタンドともいう）Ｒ１〜Ｒ５を有し、仕上圧延設備４も、圧延材の入側から第１〜第７仕上圧延機（圧延スタンドともいう）Ｆ１〜Ｆ７を有する。
【００１０】
この熱間圧延工程設備で圧延されるスラブなどの圧延材Ｓは、加熱炉１で加熱された後に抽出され、幅プレス２で所定の幅になるように成形される。次いで、圧延材Ｓは、粗圧延設備３の第１〜第５粗圧延機Ｒ１〜Ｒ５の順に搬送されて粗圧延され、これに続いて、仕上圧延設備４の第１〜第７仕上圧延機Ｆ１〜Ｆ７の順に搬送されて仕上圧延される。圧延が完了した圧延材Ｓは、仕上圧延設備４の出側の図示しない冷却装置によって所定の温度まで冷却され、コイラ５によってコイル状に巻き取られる。
【００１１】
従って、連続して圧延される圧延材のうち、先に搬送される圧延材を先行圧延材、後から搬送される圧延材を後行圧延材とした場合、先行圧延材を粗圧延設備３による粗圧延から仕上圧延設備４による仕上圧延の順に搬送して圧延し、先行圧延材に続いて後行圧延材を粗圧延設備３による粗圧延から仕上圧延設備４による仕上圧延の順に搬送して圧延する。各圧延機では、予め設定された目標板厚になるようにロールギャップや圧延荷重などの圧延諸元を設定して圧延制御を行う。
【００１２】
これら圧延機の圧延制御を始め、圧延材の加熱炉からの抽出、搬送、待機などを、高度な演算処理機能を有するコンピュータシステム（計算機）６によって行う。圧延材の待機は、圧延材の冷却のために行い、例えば仕上圧延で必要な温度になるまで仕上圧延設備４の手前で圧延材Ｓを待機する。コンピュータシステム６は、周知のように、演算処理装置だけでなく、記憶装置や入出力装置、各種の表示装置なども備えて構成されている。このコンピュータシステム６は、熱間圧延工程の生産効率を向上するため、種々の制約条件の下で先行圧延材と後行圧延材との圧延間隔が最も小さくなるようにミルペーシングを行い、そのミルペーシングによって算出された抽出時刻に従って圧延材を加熱炉から抽出し、抽出された圧延材が連続して熱間圧延されるように制御する。
【００１３】
前述した制約条件には、例えば圧延材の厚さ、幅、長さ、機械的特性、抽出予定温度、圧延後のコイルの厚さなどの圧延材の条件に加えて、先行圧延材と後行圧延材との衝突や干渉、粗圧延機及び仕上圧延機の設定変更所要時間などの設備的な条件がある。一般的に、圧延材の抽出時刻設定は、まず圧延される各圧延材の条件に基づいて各設備に圧延材が到達する時刻を搬送時間として予測し、次に設備的な条件に基づいて各圧延材の圧延間隔が最小となるように加熱炉からの抽出時刻を設定する。このようなミルペーシングや圧延材抽出は、先述の特許文献１にもあるように、既に一般的な制御であり、この実施形態のコンピュータシステム６でも既に操業に用いている。
【００１４】
しかしながら、実際の操業においては、圧延時間が短縮したり延長したりすることもある。このように先行圧延材の圧延時間が予定と異なる場合にあって、後行圧延材が仕上圧延前で待機して温度調整するような圧延材である場合には、先行圧延材尾端の第１仕上圧延機到達時刻と後行圧延材先端の第１仕上圧延機到達時刻との時間差が大きくなって製造効率が低下したり、後行圧延材が過冷却されてしまったりする可能性がある。そこで、この実施形態では、熱間圧延工程を制御するコンピュータシステム６で図２の演算処理を実行することで、これらの問題を抑制しようとする。
【００１５】
この演算処理は、熱間圧延工程の操業中、例えば新たな圧延材、つまり後行圧延材が加熱炉から抽出される毎に実行され、まずステップＳ１で、例えば後行圧延材は仕上圧延前に温度降下のための待機を行うなどして仕上圧延必要温度が必要な圧延材であるか否かを判定し、後行圧延材が仕上圧延必要温度の必要な圧延材である場合にはステップＳ２に移行し、そうでない場合には復帰する。
ステップＳ２では、先行圧延材尾端（搬送又は圧延方向後端）が第１仕上圧延機に到達したか否かを判定し、先行圧延材尾端が第１仕上圧延機に到達した場合にはステップＳ３に移行し、そうでない場合には待機する。
【００１６】
ステップＳ３では、後行圧延材は第４粗圧延機に未到達であるか否かを判定し、後行圧延材が第４粗圧延機に未到達である場合にはステップＳ４に移行し、そうでない場合には復帰する。
ステップＳ４では、前述のように個別に行われているミルペーシング制御の結果から、先行圧延材尾端の第１仕上圧延機予定到達時刻を読込む。
次にステップＳ５に移行して、先行圧延材尾端の第１仕上圧延機実績到達時刻を読込む。
次にステップＳ６に移行して、先行圧延材尾端の第１仕上圧延機予定到達時刻に対する実績到達時刻の先行圧延材尾端到達変化時間を算出する。
次にステップＳ７に移行して、算出された先行圧延材尾端到達変化時間が予め設定された繰り上り規定時間以上であるか否かを判定し、先行圧延材尾端到達変化時間が繰り上り規定時間以上である場合にはステップＳ８に移行し、そうでない場合にはステップＳ９に移行する。
ステップＳ９では、算出された先行圧延材尾端到達変化時間が予め設定された繰り下り規定時間以上であるか否かを判定し、先行圧延材尾端到達変化時間が繰り下り規定時間以上である場合にはステップＳ１０に移行し、そうでない場合には復帰する。
【００１７】
ステップＳ８では、先行圧延材尾端到達変化時間、圧延機設備条件、後行圧延材仕上圧延必要温度から、後行圧延材尾端の第５粗圧延機到達時刻のばらつきを見込み、第４及び第５粗圧延機後行圧延材目標板厚を予め設定された板厚よりも小さく変更設定してからステップＳ１１に移行する。このステップに至る場合、先行圧延材尾端は予め設定された予定到達時刻よりも繰り上り規定時間以上早い実績到達時刻で第１仕上圧延機に到達しているため、後行圧延材の第３及び第５粗圧延機における目標板厚を予め設定された板厚より小さく変更設定することで、後行圧延材が仕上圧延必要温度に到達する時刻を早め、後行圧延材の仕上圧延機手前での待機時間を短縮することが可能となる。
【００１８】
また、ステップＳ１０では、先行圧延材尾端到達変化時間、圧延機設備条件、後行圧延材仕上圧延必要温度から、後行圧延材尾端の第５粗圧延機到達時刻のばらつきを見込み、第４及び第５粗圧延機後行圧延材目標板厚を予め設定された板厚よりも大きく変更設定してからステップＳ１１に移行する。このステップに至る場合、先行圧延材尾端は予め設定された予定到達時刻よりも繰り下り規定時間以上遅い実績到達時刻で第１仕上圧延機に到達しているため、後行圧延材の第３及び第５粗圧延機における目標板厚を予め設定された板厚より大きく変更設定することで、後行圧延材が仕上圧延必要温度に到達する時刻を遅くすることができ、これにより後行圧延材の仕上圧延機手前での待機時間が長くなっても過冷却を防止することが可能となる。
ステップＳ１１では、変更設定された第５粗圧延機後行圧延材目標板厚から仕上圧延前後行圧延材待機時間及び各仕上圧延機後行圧延材先尾端予定到達時刻を変更設定する。
次にステップＳ１２に移行して、変更設定された第４及び第５粗圧延機後行圧延材目標板厚を達成するための第４及び第５粗圧延機圧延諸元を設定し、それを第４及び第５粗圧延機に出力してから復帰する。
【００１９】
この演算処理によれば、後行圧延材が仕上圧延前に仕上圧延必要温度の必要な圧延材であって、且つ後行圧延材が第４粗圧延機に未到達である場合に、先行圧延材尾端の第１仕上圧延機予定到達時刻に対する実績到達時刻の先行圧延材尾端到達変化時間を算出する。この先行圧延材尾端到達変化時間が繰り上り規定時間以上である場合には、後行圧延材の待機時間を短縮できるとして、第４及び第５粗圧延機後行圧延材目標板厚を予め設定された目標板厚よりも小さく変更設定する。一方、先行圧延材尾端到達変化時間が繰り下り規定時間以上である場合には、後行圧延材の待機時間が長くなりすぎて過冷却の恐れがあるとして、第４及び第５粗圧延機後行圧延材目標板厚を予め設定された目標板厚よりも大きく変更設定する。そして、変更設定された第５粗圧延機後行圧延材目標板厚から仕上圧延前の後行圧延材待機時間及び各仕上圧延機への後行圧延材先尾端予定到達時刻を変更設定すると共に、変更設定された第４及び第５粗圧延機後行圧延材目標板厚を達成するための第４及び第５粗圧延機の圧延諸元を設定し、それを出力する。
【００２０】
図３は、前述したミルペーシングで設定された先行圧延材（図では先行材）先尾端及び後行圧延材（図では後行材）先端の各設備位置における予定到達時刻及び実績到達時刻を示すグラフである。図３に示す設備位置のうち、Ｐ１は加熱炉１の出側位置（加熱炉抽出位置）、Ｐ２は幅プレス２の位置、Ｐ３は第１粗圧延機Ｒ１の位置、Ｐ４は第２粗圧延機Ｒ２の位置、Ｐ５は第３粗圧延機Ｒ３の位置、Ｐ６は第４粗圧延機Ｒ４の位置、Ｐ７は第５粗圧延機Ｒ５と第１仕上圧延機Ｆ１の間の待機位置、Ｐ８は第１仕上圧延機Ｆ１の位置を夫々示す。この例では、第４粗圧延機Ｒ４までは先行圧延材先尾端の実績到達時刻は予定到達時刻通りであった。また、先行圧延材先端の第５粗圧延機Ｒ５への実績到達時刻も予定到達時刻通りであったが、後行圧延材が第４粗圧延機Ｒ４に到達する以前に、第５粗圧延機Ｒ５による先行圧延材の圧延時間が短縮したため、先行圧延材尾端の第５粗圧延機Ｒ５への実績到達時刻ｔ１は予定到達時刻ｔ２よりも到達変化時間Δｔだけ早まった。この先行圧延材尾端到達変化時間Δｔは繰り上り規定時間以上であったので、後行圧延材の第４及び第５粗圧延機目標板厚を予め設定された目標板厚よりも小さく変更設定すると共に、後行圧延材の仕上圧延前待機時間を短縮し、その結果、後行圧延材先端の第１仕上圧延機実績到達時刻ｔ３を早くすることが可能となった。
【００２１】
例えば、予め設定された各圧延機における圧延材の目標板厚が、圧延前のスラブ状態で２５０ｍｍ、第１粗圧延機で２００ｍｍ、第２粗圧延機で１５０ｍｍ、第３粗圧延機で１２０ｍｍ、第４粗圧延機で８０ｍｍ、第５粗圧延機で４０ｍｍ、第１仕上圧延機で２５ｍｍ、第２仕上圧延機で１６ｍｍ、第３仕上圧延機で１０ｍｍ、第４仕上圧延機で５ｍｍ、第５仕上圧延機で３ｍｍ、第６仕上圧延機で２ｍｍ、第７仕上圧延機で１．５ｍｍといったように設定されている圧延材があるとする。この圧延材の仕上圧延設備前の待機時間は５０秒に設定されている。この圧延材が後行圧延材である場合に、先行圧延材尾端の第１仕上圧延機到達時刻の到達変化時間が繰り上り規定時間より早くなったとき、図２の演算処理により、後行圧延材の第４粗圧延機目標板厚を６０ｍｍに、第５粗圧延機目標板厚を３０ｍｍに変更設定した。結果、後行圧延材の仕上圧延設備前の待機時間を４７秒に短縮することができた。
【００２２】
このように、この実施形態の圧延制御装置又はその方法では、後行圧延材判定ステップＳ１で後行圧延材が仕上圧延設備の手前で仕上圧延必要温度が必要な圧延材であるか否かを判定し、後行圧延材が仕上圧延設備の手前で仕上圧延必要温度の必要な圧延材である場合に、先行圧延材実績到達時刻読込みステップＳ５で先行圧延材尾端が第１仕上圧延機Ｆ１に到達する実績到達時刻を読込み、到達変化時間算出ステップＳ６で、先行圧延材尾端が第１仕上圧延機Ｆ１に到達する予定到達時刻に対する先行圧延材尾端の実績到達時刻の先行圧延材尾端到達変化時間を算出し、後行圧延材粗圧延板厚変更設定ステップＳ７〜Ｓ１０で先行圧延材尾端到達変化時間が規定時間以上である場合に後行圧延材の第４及び第５粗圧延機Ｒ４、Ｒ５における目標板厚を予め設定された目標板厚から変更設定し、圧延制御ステップＳ１２で変更設定された後行圧延材の第４及び第５粗圧延機Ｒ４、Ｒ５における目標板厚が達成されるように第４及び第５粗圧延機Ｒ４、Ｒ５による圧延を制御する。従って、先行圧延材の圧延時間が短縮されたときには後行圧延材の目標板厚を予め設定された目標板厚よりも小さく設定し、先行圧延材の圧延時間が延長されたときには後行圧延材の目標板厚を予め設定された目標板厚よりも大きく設定することで、先行圧延材尾端の仕上圧延機到達時刻が変化したときでも製造効率の妨げや後行圧延材の過冷却を抑制することが可能となる。
【００２３】
また、後行圧延材粗圧延板厚変更設定ステップＳ７、Ｓ８は、先行圧延材尾端到達変化時間が予め設定された繰り上り規定時間以上である場合に、後行圧延材の第４及び第５粗圧延機Ｒ４、Ｒ５における目標板厚を予め設定された目標板厚よりも小さく変更設定することにより、先行圧延材の圧延時間が短縮されたときの後行圧延材の制動効率の妨げを抑制することができる。
また、後行圧延材粗圧延板厚変更設定ステップＳ９、Ｓ１０は、先行圧延材尾端到達変化時間が予め設定された繰り下り規定時間以上である場合に、後行圧延材の第４及び第５粗圧延機Ｒ４、Ｒ５における目標板厚を予め設定された目標板厚よりも大きく変更設定することにより、先行圧延材の圧延時間が延長されたときの後行圧延材の過冷却を抑制することができる。
【００２４】
また、後行圧延材待機時間変更設定ステップＳ１１は、変更設定された後行圧延材の粗圧延機における目標板厚に応じて仕上圧延前の後行圧延材の待機時間を予め設定された時間から変更設定する。これにより、後行圧延材の製造効率の妨げや過冷却を抑制することができると共に、先行圧延材と後行圧延材との干渉を確実に回避することが可能となる。
なお、仕上圧延設備４の手前に温度計を設置しておき、仕上圧延設備４の手前で待機中の圧延材が必要温度になってから仕上圧延設備４に装入するようにしてもよい。また、先行圧延材尾端の到達変化時間を求めるタイミング、つまり前述の実施形態では第４粗圧延機Ｒ４の手前に温度計を設置しておき、第４粗圧延機Ｒ４の手前で測定された後行圧延材の温度が予め設定していた温度より低い場合には後行圧延材の目標板厚を変更しないようにしてもよい。
本発明がここに記載していない様々な実施の形態等を含むことは勿論である。従って、本発明の技術的範囲は上記の説明から妥当な特許請求の範囲に記載された発明特定事項によってのみ定められるものである。
【符号の説明】
【００２５】
１  加熱炉
２  幅プレス
３  粗圧延設備
４  仕上圧延設備
５  コイラ
６  コンピュータシステム（計算機）
Ｒ１〜Ｒ５  第１〜第５粗圧延機
Ｆ１〜Ｆ７  第１〜第７仕上圧延機
Ｓ  圧延材
【図１】
0006299673.tif 000002
【図２】
0006299673.tif 000003
【図３】
0006299673.tif 000004